(57)【特許請求の範囲】
【請求項１】
基台に回動可能に配設された一対のロール支持体(16,16)によりフィルムロール(10)を支持する支持装置であって、
前記フィルムロール(10)の巻芯(12)の両端に装着され、前記ロール支持体(16)が挿入されるアダプタ(14,14)を備え、
前記アダプタ(14)は、
前記巻芯(12)の内部に挿入可能な筒状の挿入部(22)および巻芯(12)の軸方向端部に当接する当接部(24)と、
前記挿入部(22)および当接部(24)に周方向に離間して軸方向に延在するよう形成され、当接部(24)側で開放する複数のスリット(26)と、
前記挿入部(22)におけるスリット(26,26)間に設けられ、前記ロール支持体(16)がアダプタ(14)内に挿入された際にその外周面が前記巻芯(12)の内周面と略一致するよう拡開する可撓部(28)と、
前記可撓部(28)に径方向外方に突出するよう配設され、該可撓部(28)の拡開により前記巻芯(12)の内周面に係止される係止部材(32)とを有し、
前記ロール支持体(16)の少なくとも一方に、前記巻芯(12)に装着されたアダプタ(14)内に挿入した際に複数の前記スリット(26)に係合する係合部材(38)を設けた
ことを特徴とするフィルムロールの支持装置。
【請求項２】
前記ロール支持体(16)のアダプタ(14)に対する挿入部(34)は、前記巻芯(12)に未装着状態のアダプタ(14)の内径に対し、前記当接部(24)と対応する基部の径が少し大きく、挿入先端部の径が少し小さくなるよう、基部側から挿入先端部側に向かうにつれて次第に小径となる先細り状に形成される請求項１記載のフィルムロールの支持装置。
【請求項３】
前記係合部材(38)は、前記ロール支持体(16)から出没可能に配設される請求項１または２記載のフィルムロールの支持装置。
【発明の詳細な説明】
【０００１】
【発明の属する技術分野】
この発明は、帯状のフィルムを用いて物品を包装する包装機において、該フィルムが巻回されたフィルムロールを支持するフィルムロールの支持装置に関するものである。
【０００２】
【従来の技術】
帯状の紙やフィルム、金属箔等の単体シートその他ラミネートフィルム等の複合シートを筒状巻芯に巻取ったロール体が、産業上の諸分野で各種の用途に応じて広く使用されている。例えば製袋充填包装機では、主に合成樹脂からなるフィルムを包材用原反として巻取ったロール体(以下「フィルムロールという」)を機枠内の所定位置に装填し、該フィルムを連続的あるいは間欠的に繰出して袋体に形成すると共に、この袋体中に物品を充填することによって、各種ピロー包装袋を製造している。
【０００３】
前記フィルムを繰出し可能な状態でフィルムロールを支持する支持装置では、該フィルムロールが位置決め固定されるロール支持軸に適切な制動を付与することで、フィルムロールの回転慣性によるフィルムの過剰な繰出しを防止すると共に、繰出されるフィルムに適度な張力を与えることが行なわれている。ロール支持軸に付与される制動をフィルムロールに確実に作用させるため、例えば特開昭６２−１６７９１９号公報に開示の装置では、ロール支持軸に楔状の爪を設け、該ロール支持軸にフィルムロールの筒状巻芯(紙製であって紙管とも云う)を通した後、この爪をフィルムロールに向けて移動させ、爪の斜辺部で紙製の巻芯端部を押圧することで、フィルムロールをロール支持軸に強固に固定している。
【０００４】
【発明が解決しようとする課題】
前述した支持装置においては、前記爪で巻芯の軸方向端部を押圧する際に、この爪が巻芯に擦れたり、巻芯の端部が潰れて発塵する。また、フィルムロールからフィルムが繰出される際に、前記巻芯が爪に対して滑べると発塵するおそれもある。このような発塵は、包装機がクリーンルームに設置される場合に特に問題となる。
【０００５】
【発明の目的】
本発明は、従来の技術に係るフィルムロールの支持装置に内在している前記課題に鑑み、これを好適に解決するべく提案されたものであって、フィルムロールの巻芯からの発塵を防止し得るフィルムロールの支持装置を提供することを目的とする。
【０００６】
【課題を解決するための手段】
前記課題を克服し、所期の目的を達成するため本発明は、
基台に回動可能に配設された一対のロール支持体によりフィルムロールを支持する支持装置であって、
前記フィルムロールの巻芯の両端に装着され、前記ロール支持体が挿入されるアダプタを備え、
前記アダプタは、
前記巻芯の内部に挿入可能な筒状の挿入部および巻芯の軸方向端部に当接する当接部と、
前記挿入部および当接部に周方向に離間して軸方向に延在するよう形成され、当接部側で開放する複数のスリットと、
前記挿入部におけるスリット間に設けられ、前記ロール支持体がアダプタ内に挿入された際にその外周面が前記巻芯の内周面と略一致するよう拡開する可撓部と、
前記可撓部に径方向外方に突出するよう配設され、該可撓部の拡開により前記巻芯の内周面に係止される係止部材とを有し、
前記ロール支持体の少なくとも一方に、前記巻芯に装着されたアダプタ内に挿入した際に複数の前記スリットに係合する係合部材を設けたことを特徴とする。
【０００７】
【発明の実施の形態】
次に、本発明に係るフィルムロールの支持装置につき、好適な実施例を挙げて、添付図面を参照しながら説明する。
【０００８】
実施例に係る支持装置は、図１および図２に示す如く、フィルムロール１０における紙製の筒状巻芯１２の両端に挿脱可能に装着されるアダプタ１４と、各アダプタ１４に対して挿脱可能に挿入されるロール支持軸(ロール支持体)１６とから基本的に構成される。なお、一対のロール支持軸１６,１６は、例えば横型製袋充填機の適宜箇所に設けられた基台(何れも図示せず)に配設されて相対的に近接・離間移動可能な一対のアーム１８,１８の先端部に対向して夫々回動可能に配設され、一方のアーム１８にはロール支持軸１６に制動を付与する、例えばヒステリシスブレーキ等のブレーキ２０が配設される。前記一対のアダプタ１４,１４および一対のロール支持軸１６,１６の夫々構成は略同一であるので、一方の側のアダプタ１４およびロール支持軸１６の構成についてのみ図示して説明する。
【０００９】
図３および図４に示す如く、前記アダプタ１４は筒状の挿入部２２を備え、該挿入部２２の外径寸法は、前記巻芯１２の内径に対して僅かに小さく設定され、巻芯１２の内部に軸方向一端部から挿入可能に構成される。また挿入部２２の軸方向一端部には、開放端に向かうにつれて縮径するテーパ部２２ａが形成されると共に、他端部には径方向外方に延出する当接部としてのフランジ２４が形成され、当該アダプタ１４は、フランジ２４が巻芯１２の端面に当接する位置まで挿入部２２をテーパ部２２ａ側から巻芯１２の内部に挿入して位置決めされるようになっている。
【００１０】
前記アダプタ１４の挿入部２２およびフランジ２４には、フランジ２４側に開放して軸方向に延在する所定長さの被係合部としてのスリット２６が、周方向に等間隔で複数(実施例では４つ)形成され、周方向に隣り合うスリット２６,２６間に、前記巻芯１２の内周面に沿う可撓部２８を形成している。アダプタ１４は、合成樹脂を材料として形成されており、該可撓部２８は径方向内外に撓むことができるようになっている。なお、スリット２６におけるフランジ２４から離間する端部には、挿入部２２に形成されて周方向に所定長さで延在する切欠部３０が連設されており、この切欠部３０によって可撓部２８の充分な可撓性を確保するよう構成してある。
【００１１】
前記各可撓部２８には、図４に示す如く、その外周面から径方向外方に突出する係止部材３２が設けられており、前記挿入部２２を巻芯１２の内部に挿入した状態で、該挿入部２２に前記ロール支持軸１６を挿入した際に、前記係止部材３２が巻芯１２の内周面に押圧されて係止されることで、当該アダプタ１４と巻芯１２とが強固に固定されるようになっている。なお実施例では、金属製の係止部材３２がネジ止め固定されるが、可撓部２８と同一材質(樹脂)で一体に形成してもよい。
【００１２】
図５および図６に示す如く、前記アーム１８に回動可能に配設されたロール支持軸１６は、前記アダプタ１４に挿脱可能な挿入部３４の軸方向一端部(アーム側端部)に、径方向外方に延出する当接部としてのフランジ３６が形成され、該ロール支持軸１６は、フランジ３６がアダプタ１４のフランジ２４に当接する位置まで挿入部３４をアダプタ１４の内部に挿入して位置決めされる。この挿入部３４は、アダプタ１４のフランジ２４と対応する基部(アダプタ１４への挿入向きと反対側の端部)の径が、巻芯１２に未装着状態のアダプタ１４の内径より少し大きく、アダプタ１４への挿入向き側の端部である挿入先端部の径は同状態のアダプタ１４の内径より少し小さく設定されて、該基部側から挿入先端部側に向かうにつれて次第に小径となる先細り状になっている。このように挿入部３４はアダプタ１４への挿入向きに先細り状に形成されて、アダプタ１４に対する挿脱を容易に行ない得るようになっている。なお、挿入部３４には、径寸法が小さく設定された複数(実施例では６箇所)の逃がし部３４ａが形成され、アダプタ１４に対する挿脱を更に容易に行ない得るようにしてある。
【００１３】
前記ロール支持軸１６におけるフランジ３６の挿入部３４側には、前記アダプタ１４に形成されたスリット２６の数と同数の係合部材としてのピン３８が、各スリット２６に対応する間隔で周方向に離間して設けられている。このピン３８は、フランジ３６に対し出没可能で、内蔵のバネ(図示せず)によって、常には挿入部３４側に向けて突出するよう付勢され、各ピン３８が対応するスリット２６に係合することで(図１参照)、ロール支持軸１６とアダプタ１４とを空転しないように位置決めするよう構成される。すなわち実施例では、スリット(被係合部)２６とピン(係合部材)３８とで係合手段が構成される。
【００１４】
【実施例の作用】
次に、実施例に係るフィルムロールの支持装置の作用につき説明する。支持装置によりフィルムロール１０を支持する際には、先ず、前記アダプタ１４の挿入部２２を筒状巻芯１２の内部に挿入して装着する。挿入部２２の可撓部２８に設けられる係止部材３２の外接円は巻芯１２の内径より大きいが、可撓部２８は内側に容易に撓むから、挿入部２２の挿入に際して係止部材３２が巻芯１２の内周面と強い力で擦れることはないので、発塵は防止される。また、挿入部２２に形成したテーパ部２２ａおよび可撓部２８の撓みにより、アダプタ１４は巻芯１２に容易に挿入することができる。すなわち、フィルムロール１０をクリーンルームで使用する場合は、アダプタ１４の該ロール１０に対する装着作業はクリーンルームの外で行なうが、その作業時に発塵しないので、クリーンルームの中で装着作業を行なうことも可能である。
【００１５】
次に、両端部にアダプタ１４を装着したフィルムロール１０の巻芯１２と、離間状態の前記一対のロール支持軸１６,１６との中心を整列させた状態で、前記両アーム１８,１８を相互に近接移動させ、各ロール支持軸１６の挿入部３４を対応するアダプタ１４に両フランジ２４,３６が当接する位置まで挿入する(図１参照)。ロール支持軸１６の挿入部３４は、前述したように挿入先端部側に向かうにつれて縮径する先細り状となっているので、アダプタ１４に対してロール支持軸１６は容易に挿入される。そして、アダプタ１４へロール支持軸１６が挿入されると該支持軸１６の挿入部３４により、前記各可撓部２８が巻芯１２の内周面に向けて押圧されて外側に拡開し、前記係止部材３２が巻芯１２の内周面に押圧されて係止される。これにより、アダプタ１４と巻芯１２とは滑ることなく確実に固定される。なお、係止部材３２は巻芯１２の内周面に対して径方向から押圧されるから両者１２,３２が擦れることはなく、この作業時にも発塵することはない。なお、アダプタ１４へのロール支持軸１６の挿入により前記各可撓部２８が外側に拡開した際に、該可撓部２８の外周面は巻芯１２の内周面と略一致する状態となる。
【００１６】
ここで、前記ロール支持軸１６のピン３８とアダプタ１４のスリット２６とが周方向にずれており、ロール支持軸１６がアダプタ１４に挿入された際にピン３８がアダプタ１４のフランジ２４に当接してフランジ３６内に没入している場合がある。しかしこの状態であっても、ロール支持軸１６には制動が付与されているので、フィルムロール１０からフィルムが繰出される際に、フィルムロール１０と共にアダプタ１４がロール支持軸１６に対して空転することで、アダプタ１４のフランジ２４に形成されているスリット２６がピン３８の位置に到来すると、該ピン３８がバネの弾力によって突出してスリット２６に係合する。そして、このようにピン３８とスリット２６とが係合した以後では、アダプタ１４とロール支持軸１６との間の空転は防止され、ロール支持軸１６に付与される制動をフィルムロール１０に確実に伝えることができる。なお、ピン３８とスリット２６とが係合するまでのフィルムロール１０の空転に際して、前記巻芯１２は直接係止部材３２に対して滑るものではなく、樹脂製のアダプタ１４がロール支持軸１６に対して滑るので発塵することはない。また、アダプタ１４にロール支持軸１６を挿入する際に、前記ピン３８とスリット２６とを予め整列するよう位置決めしておく必要はなく、アダプタ１４とロール支持軸１６との係合作業は容易である。
【００１７】
なお実施例においては、一方のロール支持軸１６にのみ制動を付与するよう構成し、他方のロール支持軸１６についてはアーム１８に回転可能に配設してあるだけであるから、該ロール支持軸１６では係合部材としてのピン３８は省略されている。すなわち、他方のロール支持軸１６が回転される際に制動は加わらないので、該ロール支持軸１６をアダプタ１４に挿入するだけで、アダプタ１４とロール支持軸１６との間で空転することはない。なお、制動が付与されない他方のロール支持軸１６にもピン３８を設けてよいことは勿論である。
【００１８】
【変更例】
本発明に係る支持装置は、前述した実施例の構成に限定されるものでなく、例えば以下の変更例を適宜に採用し得る。
ロール支持軸をブレーキに連結して制動を付与する構成の他に、該支持軸をモータ等の駆動源に連結して積極的に回転する構成であってもよい。
係合部材としてのピンに関しては、ロール支持軸のフランジ内に没入するものでなく、突出状態で固定されたものでもよいが、その場合には、フィルムロールを支持する際に、アダプタのスリットをピンの位置に合わせる必要がある。
また、ピンの軸方向がロール支持軸の半径方向に一致するようにして、ロール支持軸の挿入部にピンを設け、アダプタの挿入部に形成されたスリットと係合するようにしてもよい。この場合のピンは、ロール支持軸の外周面から出没する形態であっても、没入しない突出状態で固定される形態であってもよい。
更に、係合部材としてのピンに関しては、スリットに係合可能なものであれば、突部や突起等であってもよい。
アダプタにおける可撓部の数は、スリットの幅、形状、挿入部の肉厚等を考慮して適宜に設定し得るものである。
実施例の支持装置は、横型製袋充填機に採用されるものであるが、その他の包装機に採用してもよい。
【００１９】
【発明の効果】
以上に説明した如く、請求項１の発明に係るフィルムロールの支持装置によれば、フィルムロールの巻芯に装着したアダプタにロール支持体を挿入して支持するよう構成したから、ロール支持体と巻芯とが直に接触することはなく、ロール支持体が巻芯を擦らず、発塵を防止することができる。また、アダプタの係止部材をロール支持体により巻芯の内周面に押圧して、アダプタを巻芯に係止させるので、係止部材が巻芯と擦れたり、巻芯の軸方向端面を潰すことがなく、発塵を防止し得る。なお、従来の技術のように楔状の爪の斜辺部で巻芯を固定するのではなく、巻芯の内周面にアダプタの係止部材を押圧して係止するので、フィルムロールはアダプタに対してより強固に固定される。更に、ロール支持体に設けた係合部材をアダプタに形成したスリットに係合することで、アダプタはロール支持体に対して空転しないよう構成されるから、ロール支持体にブレーキを連結してフィルムが繰出される際に制動を付与する場合にも、巻芯が係止部材に対して滑らず、発塵を好適に防止することができる。また、ロール支持体に駆動源を連結してフィルムロールを積極的に回転させる場合であっても、フィルムロールの負荷で巻芯が係止部材に対して滑らず、同様に発塵を防止し得る。更にまた、アダプタの挿入部を筒状に形成して複数の可撓部を設けたことで、アダプタの巻芯に対する挿入は容易となる。なお、挿入部に可撓部を形成するスリットが、係合部材が係合する係止部を兼用するので、係合部材が係合する凹部等を別途設ける必要はなく、加えて巻芯寸法の誤差等その他での可撓部の広がり状態の変化を考慮して係合部材と凹部との位置を設定する必要はなく、係合位置決めが容易となる。
【００２０】
請求項２の発明によれば、ロール支持体の挿入部を、アダプタへの挿入向きに先細り状となるよう形成したから、該支持体のアダプタに対する挿脱は容易となる。請求項３の発明によれば、係合部材をロール支持体に対して出没可能に設けたから、該係合部材とアダプタに設けたスリットとを予め整列するよう位置決めする必要はなく、両者の係合作業は簡単となる。
【図面の簡単な説明】
【図１】本発明の実施例に係る支持装置を、アダプタにロール支持軸を挿入した状態で一部断面で示す正面図である。
【図２】図１のＡ−Ａ線断面図である。
【図３】実施例に係るアダプタを示す正面図である。
【図４】実施例に係るアダプタを一部断面で示す側面図である。
【図５】実施例に係るロール支持軸を一部断面で示す正面図である。
【図６】実施例に係るロール支持軸を示す側面図である。
【符号の説明】
１０  フィルムロール
１２  巻芯
１６  ロール支持軸(ロール支持体)
２２  挿入部
２４  フランジ(当接部)
２６  スリット
２８  可撓部
３２  係止部材
３４  挿入部
３８  ピン(係合部材)
【図１】
0003780451.tif 000002
【図２】
0003780451.tif 000003
【図３】
0003780451.tif 000004
【図４】
0003780451.tif 000005
【図５】
0003780451.tif 000006
【図６】
0003780451.tif 000007